(57)【要約】【課題】不法投棄を抑制するため、分別収集管理およびＩＤタグ投入を適正かつ簡易に行う廃棄物収集管理法を提供する。【解決手段】廃棄物を収容するコンテナを設置するコンテナ設置場所に設けられ、該設置場所へのコンテナの設置を検知する、近接スイッチと、該コンテナ設置場所の上部に設けられ、設置されるコンテナ内の廃棄物に情報記録媒体を投入する、情報記録媒体投入装置と、該コンテナ設置場所の上部に設けられ、コンテナの廃棄物投入口からコンテナ内部の画像を撮影する、監視装置と、該監視装置で得られた画像データを送信する、通信手段とを備えることを特徴とする廃棄物管理装置。【選択図】　図１
2004137042.tif 000002
【特許請求の範囲】
【請求項１】
廃棄物を収容するコンテナを設置するコンテナ設置場所に設けられ、該設置場所へのコンテナの設置を検知する、近接スイッチと、
該コンテナ設置場所の上部に設けられ、設置されるコンテナ内の廃棄物に情報記録媒体を投入する、情報記録媒体投入装置と、
該コンテナ設置場所の上部に設けられ、コンテナの廃棄物投入口からコンテナ内部の画像を撮影する、監視装置と、
該監視装置で得られた画像データを送信する、通信手段と
を備えることを特徴とする廃棄物管理装置。
【請求項２】
前記コンテナ設置場所の下部に、コンテナの重量を計測する重量計を備えることを特徴とする請求項１に記載の廃棄物管理装置。
【請求項３】
前記通信手段が、前記重量計で計測した重量データ、および、前記監視装置で得られた画像データを共に送信することを特徴とする請求項２記載の廃棄物管理装置。
【請求項４】
請求項１〜３のいずれかに記載の廃棄物管理装置と、
該廃棄物管理装置の通信手段から送られるデータを、電気通信回線を介して受信する、受信手段と、
該受信手段から得られるデータを用いて、前記監視装置で得られた画像データを再現するモニター設備と、
を含むことを特徴とする廃棄物管理システム。
【請求項５】
前記受信手段から得られるデータを用いて、重量計によるコンテナの重量計測値を連続的に算出する、電子計算機をさらに備えることを特徴とする請求項４に記載の廃棄物管理システム。
【請求項６】
請求項１〜３のいずれかに記載の廃棄物管理装置が、廃棄物処理区分または廃棄物自体の種類に応じて２以上設置されており、各廃棄物管理装置毎に廃棄物を分別して投入することを特徴とする廃棄物分別管理設備。
【請求項７】
請求項６に記載の廃棄物分別管理設備と、
該廃棄物分別管理設備における各廃棄物管理装置の通信手段から送られる各データを、電気通信回線を介して受信する、受信手段と、
該受信手段から得られる各データを用いて、前記監視装置で得られた画像データを再現するモニター設備と、
を含むことを特徴とする廃棄物分別管理システム。
【請求項８】
前記受信手段から得られるデータを用いて、重量計によるコンテナの重量計測値を連続的に算出する、電子計算機をさらに備えることを特徴とする請求項７に記載の廃棄物分別管理システム。
【発明の詳細な説明】
【０００１】
【発明の属する技術分野】
本発明は、廃棄物管理装置および廃棄物管理システムに関し、さらに詳しくは、不法投棄者等の特定を可能とする、分別収集管理を行う廃棄物収集管理法に関する。
【０００２】
【従来の技術】
可燃物や不燃物などの一般廃棄物は、一般に行政上の区画に従って、自治体等が運営する収集センターの収集車によって収集され、規定の廃棄物焼却施設などにおいて適法に処理される。これに対して、いわゆる産業廃棄物は、その種類や量が様々であり、また、廃棄物の発生時期や発生場所もそれぞれの事業によって変化するため、処理に費用や時間がかかるケースも多く見られる。
従来から、産業廃棄物などについても分別収集やリサイクルが進められているが、それぞれの廃棄物が適法・適正に処理されているのかを監視するのは困難であった。これは、廃棄物の種類や量が各事業によって大きく異なることなどからも、廃棄物の発生や量の予測が困難なことにも起因している。そして、万一廃棄物が不法投棄された場合には、不法投棄者の特定が困難であるという問題があった。
不法投棄が行われると、不法投棄された場所の管理者に不当な損害を生じさせることになるのと同時に、不法投棄場所付近では環境面においても深刻な悪影響が懸念されることとなる。よって、このような不法投棄をなくすため、廃棄物を不法に投棄できないようなシステムの構築が望まれている。
【０００３】
【発明が解決しようとする課題】
本発明者らは、上記問題点に鑑み、不法投棄者等の特定を可能とし、抑止効果としての機能を持つシステムにおいて、分別収集管理およびＩＤタグ投入を適正かつ簡易に行う廃棄物収集管理法を開発すべく、鋭意検討した。
その結果、本発明者らは、収集ごみに廃棄物発生者、廃棄物種別、廃棄物量等情報を記憶させたＩＤタグ等の情報記憶装置を混入させ、分別収集ごみのマニフェスト管理を行うことによって、かかる問題点が一気に解決されることを見出した。そして、万一不法投棄が行われた場合には、ＩＤタグ等の情報により投棄者の特定を可能とし、抑止効果としての機能を併せ持つ廃棄物収集管理システムを提案する。
本発明は、かかる見地より完成されたものである。
【０００４】
【課題を解決するための手段】
すなわち、本発明は、廃棄物を収容するコンテナを設置するコンテナ設置場所に設けられ、該設置場所へのコンテナの設置を検知する、近接スイッチと、該コンテナ設置場所の上部に設けられ、設置されるコンテナ内の廃棄物に情報記録媒体（例えばＩＤタグ等）を投入する、情報記録媒体投入装置と、該コンテナ設置場所の上部に設けられ、コンテナの廃棄物投入口からコンテナ内部の画像を撮影する、監視装置と、該監視装置で得られた画像データを送信する、通信手段とを備える廃棄物分別管理装置を提供するものである。前記コンテナ設置場所の下部には、コンテナの重量を計測する重量計を備えることもできる。この場合、前記通信手段は、重量計で計測した重量データ、および、監視装置で得られた画像データを共に、例えば監視センターに送信する態様が好ましい。情報記録媒体投入装置としては、例えばＩＤタグ投入装置が好適に用いられる。
【０００５】
また、本発明は、上記廃棄物分別管理装置と、廃棄物分別管理装置の通信手段から送られるデータを、電気通信回線を介して受信する、受信手段と、該受信手段から得られるデータを用いて、前記監視装置で得られた画像データを再現するモニター設備と、を含む廃棄物分別管理システムを提供するものである。そして、前記受信手段から得られるデータを用いて、重量計によるコンテナの重量計測値を連続的に算出する、電子計算機をさらに備える態様も好ましい。
これらのモニター設備や電子計算機は、通常、廃棄物分別管理装置もしくは管理設備を監視する監視センターに設置されている。また、上記受信手段の一部としては、電気計算機を用いることができる。
【０００６】
さらに、本発明の廃棄物分別管理装置は、廃棄物処理区分または廃棄物自体の種類に応じて２以上設置して、各廃棄物管理装置毎に廃棄物を分別して投入する廃棄物分別管理設備とすることができる。ここで、例えば３つの廃棄物管理装置を設置して廃棄物分別管理設備とする場合には、第１の廃棄物管理装置をコンクリート廃棄物用とし、第２の廃棄物管理装置を木材廃棄物用とし、第３の廃棄物管理装置をアスファルトコンクリート用とすることができる。
【０００７】
そして、上記廃棄物分別管理設備と、該廃棄物分別管理設備における各廃棄物管理装置の通信手段から送られるデータを、電気通信回線を介して受信する、受信手段と、該受信手段から得られるデータを用いて、前記監視装置で得られた画像データを再現するモニター設備と、を含む廃棄物分別管理システムとすることもできる。ここでは、上記システムと同様に、受信手段から得られるデータを用いて、重量計によるコンテナの重量計測値を連続的に算出する、電子計算機をさらに備えることもできる。
【０００８】
このような本発明は、分別収集管理およびＩＤタグ投入を適正かつ簡易に行う廃棄物収集管理法を提供するものである。本発明の装置およびシステムによれば、ＩＤタグ情報により不法投棄者等の特定が容易となり、その抑止効果として不法投棄の減少が期待できる。本発明では、収集ごみに廃棄物発生者、廃棄物種別、廃棄物量等情報を記憶させたＩＤタグ等の情報記憶装置を混入させ、分別収集ごみのマニフェスト管理を行うものである。
【０００９】
【発明の実施の形態】
以下、本発明に係る廃棄物管理装置について、添付図面を参照しながらその具体的な実施形態を詳細に説明する。
〔廃棄物管理装置およびそのシステム〕
図１に、本発明の廃棄物管理装置の一例を模式的に示す。本実施の形態の装置では、コンテナ設置場所に近接スイッチ６と、ＩＤタグ投入装置３と、監視装置としてカメラ４と、通信手段として無線通信装置５とを備えている。
【００１０】
廃棄物を収容するコンテナは、廃棄物で満杯になるとトラックに積まれ、空のコンテナがコンテナ設置場所に設置される。この新たなコンテナ２の設置の操作を、近接スイッチ６にて検知する。
近接スイッチ６は、廃棄物を収容するコンテナ２を設置するコンテナ設置場所の側面に設けられる。このコンテナ設置場所の上部にはＩＤタグ投入装置３が設けられており、コンテナ設置場所にコンテナ２が設置されると、コンテナ２内にＩＤタグの投入を開始する。
【００１１】
コンテナ２上部に配置されるＩＤタグ投入装置３は、コンテナ設置場所の側面に設置された近接スイッチ６と連動しており、コンテナが設置されている間はオン状態として、ＩＤタグを投入する。
ここでのＩＤタグの投入方法は、廃棄物の種類や量、廃棄物の投入時期などによって任意に定めることができる。例えば、連続的に廃棄物が投入される場合には、一定時間毎にＩＤタグを自動的に投入することができる。具体的には、重量計７を有さず近接スイッチ６のみが設置されている場合には、タイマーを設置し、初期時（近接スイッチ、オフＯＦＦ→オンＯＮ）、ＩＤタグ１〜５個程度投入する態様が挙げられる。その後は、例えば１時間毎１〜５個程度のＩＤタグを投入する。
廃棄物管理装置１には、コンテナ設置場所の側面下部に設置した近接スイッチ６の他、投入終了通知スイッチが設けられていても良い。
【００１２】
図１に示す本実施の形態の廃棄物管理装置１では、コンテナ設置場所の下部に、コンテナの重量を計測する重量計７を備えている。重量計７では、コンテナ部２と廃棄物の重量を連続的に測定する。
このように近接スイッチ６および重量計７を有する場合、ＩＤタグの投入量は廃棄物の種類によっても異なるが、例えば廃棄物１０〜１０００ｋｇに１個投入、あるいは、廃棄物１００ｋｇ重量加算毎に１〜５個程度投入する態様などが挙げられる。ＩＤタグの投入個数は、多いほうが不法投棄などの行為を精度良く見つけ易いという効果が期待できるが、必要以上に投入することはコスト面で好ましくない。
【００１３】
本発明のＩＤタグとしては、種々のものを用いることができるが、不法投棄などの事態を想定していることから、例えば電磁誘導方式ＩＤシステムに利用されるＩＤタグが好適に使用できる。ＩＤタグには、通常、廃棄者名、廃棄日付、廃棄物種別等情報が含まれる。よって、メモリ容量も少なくて足りるが、例えばユーザーエリアが５０バイト以上、好ましくは１００バイト以上のＩＤタグが良い。データ保持期間は、不法投棄の発見時にもデータが残っている必要から、通常１年以上、好ましくは５年以上である。保存周囲温度としては、あらゆる冷寒地から熱帯地にも対応できることが望ましいが、通常は０℃〜４０℃付近で足りる。
【００１４】
また、ＩＤタグの形状、サイズに関しては、ＩＤタグ投入装置３からコンテナ部２内の廃棄物に投入することから、形状については特に限定されるものではないがサイズについては小さいことが好ましい。例えば、円盤状であれば直径２〜３０ｍｍ程度、棒状であれば長さ５〜４０ｍｍ程度のＩＤタグが挙げられる。このようなＩＤタグの好適な一例としては、オムロン（株）製Ｖ７００シリーズ（形Ｖ７００−Ｄ１３Ｐ２１、形Ｖ７００−Ｄ１３Ｐ３１、形Ｖ７００−Ｄ１３Ｐ４１）などが挙げられる。
コンテナ部２内部の廃棄物にＩＤタグを一定以上混入させることによって、コンテナ内の廃棄物が万一不法投棄がなされた場合、混入したＩＤタグを読み出すことにより、投棄者を判定することができる。
【００１５】
本発明の廃棄物分別管理装置には、コンテナ設置場所の上部に、コンテナ部２の廃棄物投入口からコンテナ内部の画像を撮影する監視装置として、カメラ４が設けられている。カメラ４は、コンテナ内部の一部を撮影するものでも使用可能であるが、全体を撮影できるように設置されていることが好ましい。
監視装置であるカメラ４は、コンテナ部２の画像を写し、通信手段である無線通信装置５によって、無線等の電気通信回線を用いて送信する。カメラ４や無線通信装置５などの装置の駆動電源装置１０には、太陽電池や燃料電池の他、家庭用電源などが用いられる。特に、太陽電池や燃料電池を用いた場合、電源線が必要なく、電気配線の困難な場所での使用が可能となるメリットがある。
【００１６】
廃棄物管理装置の通信手段から送られるデータは、受信手段にて電気通信回線を介して受信する。この受信手段から得られるデータを用いて、監視装置で得られた画像データを、モニター設備で再現する。このモニター設備は、通常監視センターに設置されており、コンテナ設置場所の状況として監視されている。
監視センターでは、画像情報をモニターによって監視し、例えばＩＤタグが正常に投入されていること、あるいは、分別廃棄が適正になされていることを監視する。
【００１７】
図１のように、重量計７が設置されている態様では、通信手段である無線通信装置５によって、重量計７で計測した重量データを、上記画像データを共に送信する。通信手段から送られるデータは、無線等の電気通信回線を介して受信手段が受信する。受信手段としては、監視センター内のホストコンピューターを用いることができる。
受信手段で得られた重量データに基づき、コンピューターを用いて重量計７によるコンテナ２の重量計測値を連続的に算出する。これによって、ＩＤタグの投入方法を時間経過だけに因らず、重量変化によって適量ずつ投入することが可能となる。特に、一定の間隔で廃棄物が投入されないコンテナであっても、かかるシステムによれば、ＩＤタグを一定重量、一定体積毎に、投入することができる。また、コンテナの切り替え時期なども適切に予測することができる。
【００１８】
本発明の装置を用いて管理された廃棄物には、一定量毎にＩＤタグが混入することになる。よって、不法投棄を行った場合には、ＩＤタグの読み出しによって、その不法投棄者を特定できる。具体的には、不法投棄されたごみに対して、ＩＤタグを読み出す。ＩＤタグが目視確認できる場合、ＩＤリーダを手にもち、至近にかざし、タグ情報を読み取る。ＩＤタグを目視確認できない場合、ごみ表面を２０ｃｍ程度の距離で走査させることによりＩＤタグ情報を読み出す。反応がない場合、廃棄物を掘り起こし走査の作業を繰り返すことによって、読み出しが可能となる。
【００１９】
〔廃棄物分別管理設備およびそのシステム〕
図２に、本発明の廃棄物分別管理設備の一例を模式的に示す。廃棄物分別管理設備は、廃棄物処理区分または廃棄物自体の種類に応じて廃棄物管理装置１を２以上設置したものである。本実施の形態では、３つの廃棄物管理装置１を並列に設置している。この３つの廃棄物管理装置は、それぞれ第１の廃棄物管理装置をコンクリート廃棄物用とし、第２の廃棄物管理装置を木材廃棄物用とし、第３の廃棄物管理装置をアスファルトコンクリート用として使用するものである。
【００２０】
廃棄物を投入する者は、この３つの分別区分に従って、廃棄物を各コンテナに投入することとなる。もし、誤って投入した場合や不法に投入する者がある場合には、各廃棄物管理装置１に設置されたカメラ４によって、その画像情報が監視センターのモニターに映し出されるので、適切に対処することが可能である。
なお、監視装置は図２に示すように各廃棄物管理装置毎に設置しても良いし、３つの廃棄物管理装置全体を１台のカメラで監視できるように設置されていても良い。但し、近接スイッチ６、重量計７、ＩＤタグ投入装置３は、それぞれのコンテナ設置場所毎に独立して設置されていることが必要である。
【００２１】
【発明の効果】
本発明は、分別収集管理およびＩＤタグ投入を適正かつ簡易に行う廃棄物収集管理法を提供するものである。本発明の装置およびシステムによれば、ＩＤタグ情報により不法投棄者等の特定が容易となり、その抑止効果として不法投棄の減少が期待できる。
【図面の簡単な説明】
【図１】本発明に係る廃棄物管理装置の一例を模式的に示す図である。
【図２】本発明に係る廃棄物分別管理設備の一例を模式的に示す図である。
【符号の説明】
１　廃棄物管理装置
２　コンテナ部
３　ＩＤタグ投入装置
４　カメラ
５　無線通信装置
６　近接スイッチ
７　重量計
１０　電源装置
【図１】
2004137042.tif 000003
【図２】
2004137042.tif 000004